(57)【要約】      （修正有）【課題】互いに接離する一対の部品の一方に対して、その高さを容易に調整でき、所定高さに調整後、その状態を維持できる、高さ調整可能なストッパ装置を提供する。【解決手段】このストッパ装置１０は、一方の部品の取付孔４に挿入固定されるグロメット２０と、ストッパピン３０とを備える。ストッパピン３０は、他方の部品のストッパ面となる受け部３１と、軸部３５と、軸部３５の基部外周に設けた雄ネジ部３６と、軸部３５の先端部外周に設けた回転規制部３７とを有している。グロメット２０は、取付孔４の表側周縁に係合するフランジ部２１と、雄ネジ部３６を螺合させるネジ孔２２と、取付孔４に挿入される脚部２３と、この脚部２３に設けられて取付孔４の裏側周縁に係合する係止片２７と、脚部２３に設けられてストッパピン３０の回転規制部３７に圧接される弾性片２９とを有している。【選択図】図２
2008296731.tif 000002
【特許請求の範囲】
【請求項１】
互いに接離する一対の部品の一方に固定されて、他方の移動量を規制するストッパ装置において、
前記一方の部品に設けられた取付孔に挿入固定されるグロメットと、このグロメットに取付けられるストッパピンとを備え、
前記ストッパピンは、ストッパ面となる受け部と、この受け部から延出された軸部と、この軸部の基部側外周に形成された雄ネジ部と、前記軸部の先端部外周に形成された回転規制部とを有しており、
前記グロメットは、前記取付孔の表側周縁に係合するフランジ部と、前記ストッパピンの軸部を挿通させるように前記フランジ部に設けられ、前記ストッパピンの雄ネジ部を螺合させる雌ネジ部を内周に有するネジ孔と、このフランジ部から延出されて前記取付孔に挿入される脚部と、この脚部に設けられて前記取付孔の裏側周縁に係合する係止片と、前記脚部に設けられて前記ストッパピンの回転規制部に当接する弾性片とを有することを特徴とする高さ調整可能なストッパ装置。
【請求項２】
前記取付孔は角孔状をなしていると共に、前記グロメットの脚部は、該取付孔に適合する外周形状をなし、前記一方の部品に対して前記グロメットが回り止めされて固定される請求項１記載の高さ調整可能なストッパ装置。
【請求項３】
前記回転規制部は、前記ストッパピンの軸部の先端部を多角柱状にした部分で構成されている請求項１又は２記載の高さ調整可能なストッパ装置。
【請求項４】
前記ストッパピンの受け部は、前記脚部に連結された支持部と、この支持部に取付けられる弾性材料からなるバンパとで構成されている請求項１〜３のいずれか１つに記載の高さ調整可能なストッパ装置。
【請求項５】
前記係止片は、前記脚部の対向する部分に設けられた一対のものからなり、前記弾性片は、前記係止片とは重ならない位置で、前記脚部の対向する部分に設けられた一対のものからなる請求項１〜４のいずれか１つに記載の高さ調整可能なストッパ装置。
【請求項６】
前記脚部は、全体として前記フランジ部の裏面側から延出された筒状部分をなしており、前記係止片及び前記弾性片は、筒状部分の側壁にスリットを介して設けられている請求項１〜５のいずれか１つに記載の高さ調整可能なストッパ装置。
【発明の詳細な説明】
【技術分野】
【０００１】
本発明は、互いに接離する一対の部品の一方に固定されて、他方の移動量を規制するための、高さ調整可能なストッパ装置に関する。
【背景技術】
【０００２】
例えば、車両の助手席側には、インストルメントパネルに設けた凹所に対して、グローブボックスが開閉可能に取付けられている。このグローブボックスが凹所に対して閉じられたとき、グローブボックスのリッド表面とインストルメントパネル表面に面差が生じる恐れがあるため、同リッドの背面又は前記凹所の周縁部には、リッドの移動量を規制するためのストッパ装置が設けられている。
【０００３】
上記のように、一方の部品に対して接離する他方の部品の移動量を規制するためのものとして、下記特許文献１には、ゴム等の弾性体から形成された円柱状をなすフードバンパ本体を有し、その外周面に螺旋状溝を形成すると共に、同フードバンパ本体をフロントボディの取付け穴にねじ込み固定するとき、その基準高さとなる位置に、全周に亘って水平溝を設けたフードバンパが開示されている。前記水平溝は、前記螺旋状溝に連続した状態で設けられている。このフードバンパは、螺旋状溝を介してフロントボディの取付け穴にねじ込まれつつ挿入され、前記水平溝が取付け穴の周縁に係合したときに、フードバンパが予め設定された基準高さで、フロントボディに取付けられるようになっている。
【０００４】
また、下記特許文献２には、環状の枠形状をなし、その底面にねじ部材が挿通する孔部が形成された本体と、該本体の一端面から突出した環状薄肉部とを有し、前記本体の孔部にねじ部材を挿入して、インストルメントパネルの裏面に設けたウェルドナットに螺着させることにより、前記環状薄肉部がインストルメントパネルの表面に弾性的に当接して撓むように構成された、グローブボックス用のストッパゴムが開示されている。
【特許文献１】実開平６−３３７８１号公報
【特許文献２】特許第３５８２３８５号公報
【発明の開示】
【発明が解決しようとする課題】
【０００５】
上記特許文献１では、水平溝に取付け穴が係合して、フードバンパがフロントボディに対して基準高さで取付けられた状態から、フードバンパの高さを変更する際には、フードバンパを押し込みながら回転させるか、或いは、引っ張りながら回転させることにより、水平溝に係合した取付け穴の周縁部を、水平溝に連続して形成された螺旋状溝に移動させて、フードバンパの高さを微調整できるようになっている。しかしながら、この方法では、フードダンパを押し込みながら或いは引っ張りながら回転させるので、大きな力が必要となり、高さ調整を行うことは容易ではない。
【０００６】
また、上記特許文献２では、本体の孔部に挿入されたねじ部材を回転させることより、ストッパゴムの高さ調整を行うことが可能となっているが、前記ねじ部材を回転させるために、ドライバ等の工具が別途必要となるので、作業性に問題がある。
【０００７】
また、前記環状薄肉部がパネル表面に弾性的に当接して、その摩擦力によって、ストッパゴムの回り止めやガタ抑え等が図られるようになっている。そこで、パネルに対してストッパゴムを低くすべく、ねじ部材を深く締め込んで、環状薄肉部を大きく拡径させた状態を長期に亘って維持した場合、環状薄肉部が大きく拡径した状態で経時変化してしまって、縮径状態に戻らないことがある。こうなると、ねじ部材を緩めてストッパゴムを高くしようとしても、回り止めやガタ抑え等を図ることができない。更に、このストッパゴムにおいては、前記環状薄肉部がパネル表面に当接した状態から、最大限撓む範囲でなければ、ストッパゴムの高さを調整することができないので、高さ調整範囲が比較的狭いという問題がある。
【０００８】
したがって、本発明の目的は、互いに接離する一対の部品の一方に対して、その高さを容易に調整することができると共に、所定高さに調整した後に、その状態をしっかりと維持することができ、更に、高さの調整量を広く取ることができる、高さ調整可能なストッパ装置を提供することにある。
【課題を解決するための手段】
【０００９】
上記目的を達成するため、本発明の第１は、互いに接離する一対の部品の一方に固定されて、他方の移動量を規制するストッパ装置において、前記一方の部品に設けられた取付孔に挿入固定されるグロメットと、このグロメットに取付けられるストッパピンとを備え、前記ストッパピンは、ストッパ面となる受け部と、この受け部から延出された軸部と、この軸部の基部側外周に形成された雄ネジ部と、前記軸部の先端部外周に形成された回転規制部とを有しており、前記グロメットは、前記取付孔の表側周縁に係合するフランジ部と、前記ストッパピンの軸部を挿通させるように前記フランジ部に設けられ、前記ストッパピンの雄ネジ部を螺合させる雌ネジ部を内周に有するネジ孔と、このフランジ部から延出されて前記取付孔に挿入される脚部と、この脚部に設けられて前記取付孔の裏側周縁に係合する係止片と、前記脚部に設けられて前記ストッパピンの回転規制部に当接する弾性片とを有することを特徴とする高さ調整可能なストッパ装置を提供するものである。
【００１０】
上記発明によれば、フランジ部のネジ孔に軸部を挿入して、その基部側外周の雄ネジ部をネジ孔に螺合させることにより、グロメットにストッパピンを組付けることができ、更に、一方の部品の取付孔にグロメットを挿入することにより、取付孔の表側周縁にフランジ部が係合し、同取付孔の裏側周縁に係止片が係合して、ストッパ装置を一方の部品に固定することができる。
【００１１】
この状態で他方の部品が近づくと、前記ストッパピンの受け部に他方の部品が当接して移動量を規制される。この場合、ストッパピンを回転させるだけの簡単な操作で、ストッパピンの雄ネジ部と、グロメットの雌ネジ部との螺合度が変わり、ストッパピンの高さを容易に変化させることができる。これによって、例えば蓋体の開閉などにおいては、ストッパピンの高さを調整することにより、蓋体の微妙な反り等によって生じる当接部の面差を是正してガタ付き等の発生を防止することができる。
【００１２】
また、ストッパピンを所定の高さに調整した後は、グロメットの弾性片がストッパピンの回転規制部に圧接されるので、ストッパピンの不用意な回転を規制して、高さが変わってしまうことを防止できる。なお、弾性片によって、高さ調整の際にストッパピンの回転に適度な抵抗力を付与することができる。更に、ストッパピンの高さ調整は、同ストッパピンに設けた雄ネジ部と、グロメットに設けた雌ネジ部との螺合度によって変化するので、これらを適宜所定の大きさに形成することにより、ストッパピンの高さ調整範囲を広くすることができる。
【００１３】
本発明の第２は、前記第１の発明において、前記取付孔は角孔状をなしていると共に、前記グロメットの脚部は、該取付孔に適合する外周形状をなし、前記一方の部品に対して前記グロメットが回り止めされて固定される高さ調整可能なストッパ装置を提供するものである。
【００１４】
上記発明によれば、グロメットの脚部が取付孔内周に適合して回り止めされるので、ストッパピンを回転させるときにグロメットも一緒に回転してしまうことを防止し、ストッパピンの回転による高さ調整をスムーズに行うことができる。
【００１５】
本発明の第３は、前記第１又は第２の発明において、前記回転規制部は、前記ストッパピンの軸部の先端部を多角柱状にした部分で構成されている高さ調整可能なストッパ装置を提供するものである。
【００１６】
上記発明によれば、ストッパピンの回転規制部が多角柱状をなしているので、これにグロメットの弾性片が圧接されることにより、ストッパピンを回転させるときには適度なクリック感を連続して与えることができ、操作フィーリングが向上する。高さ調整した後のストッパピンの回転規制に関しては、多角柱を構成する面の数だけ規制できるので、規制できる回転角度を細かく設定でき、その結果、ストッパピンの高さ位置をより細かく調整することができる。
【００１７】
本発明の第４は、前記第１〜３のいずれか１つの発明において、前記ストッパピンの受け部は、前記脚部に連結された支持部と、この支持部に取付けられる弾性材料からなるバンパとで構成されている高さ調整可能なストッパ装置を提供するものである。
【００１８】
上記発明によれば、弾性材料からなるバンパが、ストッパピンの受け部に設けられているので、受け部に衝撃吸収機能を付与することができる。例えば、一対の部品が車体フレームの凹所と、この凹所に開閉可能に取付けられたリッドとからなる場合に、同リッドが勢い良く閉じられたとしても、前記バンパに当接して、その衝撃力が吸収され、打音が発生することを防止できる。
【００１９】
本発明の第５は、前記第１〜４のいずれか１つの発明において、前記係止片は、前記脚部の対向する部分に設けられた一対のものからなり、前記弾性片は、前記係止片とは重ならない位置で、前記脚部の対向する部分に設けられた一対のものからなる高さ調整可能なストッパ装置を提供するものである。
【００２０】
上記発明によれば、係止片及び弾性片がそれぞれ対向した位置に一対ずつ設けられているので、係止片の取付孔に対する係止力と、弾性片が回転規制部に圧接することによる回転規制力とをバランス良く得ることができる。
【００２１】
本発明の第６は、前記第１〜５のいずれか１つの発明において、前記脚部は、全体として前記フランジ部の裏面側から延出された筒状部分をなしており、前記係止片及び前記弾性片は、筒状部分の側壁にスリットを介して設けられている高さ調整可能なストッパ装置を提供するものである。
【００２２】
上記発明によれば、係止片及び弾性片は、筒状部分の側壁にスリットを介してそれぞれ設けられているので、脚部全体の剛性を高めることができ、係止片を取付孔にしっかりと係合させると共に、弾性片を回転規制部に対してしっかりと当接させて、ストッパピンの回転規制を確実に図ることができる。
【発明の効果】
【００２３】
本発明の高さ調整可能なストッパ装置によれば、フランジ部のネジ孔にピンの雄ネジ部を螺合させ、グロメットにストッパピンを組付けた状態で、取付孔にグロメットを挿入することにより、ストッパ装置を一方の部品に固定することができ、この状態で他方の部品が近づくと、ストッパピンの受け部に他方の部品が当接して移動量が規制される。
【００２４】
そして、ストッパピンを回転させるだけの簡単な操作で、ストッパピンの雄ネジ部と、グロメットの雌ネジ部との螺合度が変わり、ストッパピンの高さを容易に変化させることができる。また、ストッパピンを所定の高さに調整した後は、グロメットの弾性片がストッパピンの回転規制部に当接するので、ストッパピンの不用意な回転を規制して、高さが変わってしまうことを防止できる。更に、ストッパピンの高さ調整は、ストッパピンの雄ネジ部とグロメットの雌ネジ部との螺合度によって変化するので、これらを適宜所定の大きさに形成することにより、ストッパピンの高さ調整範囲を広くできる。
【発明を実施するための最良の形態】
【００２５】
以下、図面を参照して、本発明の高さ調整可能なストッパ装置の一実施形態について説明する。
【００２６】
図１に示すように、車両の助手席側には、インストルメントパネル１に設けた凹所２に対して、グローブボックス５が開閉可能に取付けられている。グローブボックス５は、正面側に板状のリッド６が配設され、このリッド６の裏面にボックス７が固設した形状をなしており、また、リッド６の下方には図示しない支軸が突設していて、これが前記凹所２内周の図示しない軸孔に挿入されて、グローブボックス５が凹所２に対して開閉可能とされている。そして、本発明の高さ調整可能なストッパ装置１０（以下、「ストッパ装置１０」という）は、図１に示すように、インストルメントパネル１の左右両側壁３，３の、一方の側壁３の前方上端部に固定されており、グローブボックス５が閉じたときに、そのリッド６の裏面に当接して、グローブボックス５の移動量を規制するものである。
【００２７】
なお、この実施形態におけるインストルメントパネル１が本発明における一方の部品をなし、これに形成された凹所２に開閉可能に取付けられたグローブボックス５が本発明における他の部品をなしている。この態様以外にも、例えば、車両の車体パネルを本発明における一方の部品とし、この車体パネルに設けた凹所に開閉可能に取付けられるリッドを、本発明における他方の部品としてもよく、特に限定されるものではない。
【００２８】
図２に示すように、このストッパ装置１０は、一方の部品であるインストルメントパネル１の側壁３に形成された四角孔状の取付孔４に挿入固定されるグロメット２０と、このグロメット２０に取付けられるストッパピン３０とを備えている。
【００２９】
図２〜４及び図６〜８を参照すると、グロメット２０は、取付孔４の表側周縁に係合する環状のフランジ部２１と、該フランジ部２１の裏面側に突設された脚部２３とを有している。前記フランジ部２１の中央には、後述するストッパピン３０の軸部３５を挿通させると共に、同ストッパピン３０の雄ネジ部３６（後述する）を螺合させる雌ネジ部２２ａを内周に有するネジ孔２２が設けられている（図４（Ａ），（Ｂ）参照）。また、前記フランジ部２１の裏面側であって前記ネジ孔２２の周縁からは、前記取付孔４に挿入される筒状をなした筒状部分２４が延出している。この実施形態の場合、筒状部分２４は、上記の四角孔状をなす取付孔４に適合する四角形の筒状をなしている。その結果、脚部２３が取付孔４の内周に適合して回り止めされるので、ストッパピン３０を回転させるときにグロメット２０も一緒に回転してしまうことを防止し、ストッパピン３０の回転による高さ調整をスムーズに行うことができるようになっている。また、筒状部分２４の基端部内周には、フランジ部２１に設けた雌ネジ部２２ａが形成されており、ストッパピン３０の雄ネジ部３６が螺合するようになっている（図４（Ａ），（Ｂ）参照）。なお、前記筒状部分２４は、取付孔４に対応して、円筒状をなしていてもよく、その形状は特に限定されない。
【００３０】
上記の筒状部分２４の先端部には、前記取付孔４の裏側周縁に係合する係止片２７と、後述するストッパピン３０の回転規制部３７に圧接される弾性片２９とが設けられている。図３及び図４を併せて参照すると、四角形の筒状をなす筒状部分２４の、対向する一対の側壁２５，２５には、コ字状スリット２６，２６が形成されており、このコ字状スリット２６，２６を介して、撓み可能とされた一対の係止片２７，２７がそれぞれ設けられている。各係止片２７の外側面は、筒状部分２４の先端部から基端部に向かって斜め外方に突出した形状をなしており、更に各係止片２７の先端部には、前記取付孔４の裏側周縁に係合する部分となる係合段部２７ａがそれぞれ形成されている（図６，７参照）。
【００３１】
一方、筒状部分２４の対向するもう一対の側壁２５，２５には、筒状部分２４の先端縁から所定長さで一対のスリット２８，２８がそれぞれ形成されており、これらの一対のスリット２８，２８を介して、撓み可能とされた一対の弾性片２９，２９が設けられている。また、図３及び図４（Ｂ），（Ｃ）に示すように、各弾性片２９，２９の内側には、所定高さで突出すると共に、それらの先端面同士が互いに平行な面をなす、押圧部２９ａ，２９ａがそれぞれ設けられている。これらの押圧部２９ａ，２９ａの先端面が、後述する八角柱状をなした回転規制部３７に外側面に圧接されて、ストッパピン３０の回転規制が図られると共に（図３及び図８参照）、ストッパピン３０を所定の力で回転させたときに、押圧部２９ａを介して各弾性片２９，２９が外方に撓み、その回転が許容されるようになっている。
【００３２】
次に、上記のグロメット２０に取付けられるストッパピン３０について、図２，３及び図５〜８を参照して説明すると、このストッパピン３０は、他方の部品であるリッド６の裏面に当接して、そのストッパ面となる受け部３１と、この受け部３１から延出された軸部３５とを有している。受け部３１は、軸部３５の基端部に連接された支持部３３と、この支持部３３に取付けられると共に、弾性材料からなるバンパ４０とから構成されている。支持部３３は、図３及び図５（Ｂ）に示すように、対向する一対の平行面３３ａ，３３ａと、これらに直交するもう一対の平行面３３ａ，３３ａと、各平行面３３ａの端部どうしを連結する円弧状の角部３３ｂとからなる板状をなしている。このように、平行面３３ａを設けたことにより、支持部３３を滑ることなく回転させやすくなっており、グロメット２０に対してストッパピン３０を回転させて、ストッパピン３０の高さ調整を行う際の作業性を向上させている。また、支持部３３の表面中央には、後述するバンパ４０の支軸４２が挿入される軸孔３４が所定深さで形成されており、更に支持部３３の裏面中央には所定深さの環状凹部３４ａが、前記軸孔３４に連通して形成されている。
【００３３】
次に、前述した受け部３１から延出された軸部３５について説明する。すなわち、この軸部３５は、前記支持部３３の裏面側であって、前記環状凹部３４ａの周縁から、筒状に延設されたものである。この軸部３５の基部側外周には、軸方向に沿って所定範囲で、前記グロメット２０の雌ネジ部２２ａに螺合させるための、雄ネジ部３６が形成されている。また、この軸部３５の先端部外周は、図５（Ａ），（Ｂ）に示すように、正八角柱状に形成されており、これが回転規制部３７をなしている。更に、図５（Ｂ）に示すように、正八角柱状をなす回転規制部３７の、対向する平行な外側面どうしの距離Ｄ１は、前述した一対の弾性片２９，２９の互いに平行な押圧部２９ａ，２９ａどうしの距離Ｄ２（図４（Ｃ）参照）よりも、若干大きくなるように形成されている（Ｄ１＞Ｄ２）。その結果、図３及び図８に示すように、多角柱状をなす回転規制部３７の外側面に、一対の弾性片２９，２９先端の押圧部２９ａ，２９ａが圧接されるようになり、これによりストッパピン３０の回転規制が図られるようになっている。また、図３及び図８に示す状態から、ストッパピン３０を回転させると、角柱状の回転規制部３７の対向する平行な外側面によって、一対の弾性片２９，２９が外方に撓み、回転規制部３７の次の対向する平行な外側面に至ると、一対の弾性片２９，２９が元の縮径状態に弾性復帰して、回転規制部３７の対向する外側面に圧接する。このように、ストッパピン３０を回転させることにより、一対の回転規制部３７の対向する外側面に、次々に圧接されるようになっているので、その結果、作業者にクリック感が付与されるようになっている。
【００３４】
上記の支持部３３に取付けられるバンパ４０について説明すると、図２に示すように、このバンパ４０はゴム材料等の弾性材料からなっており、先細テーパ状をなすと共にリッド６の裏面に当接する当接部４１と、その裏面中央から所定長さで延出した支軸４２と、この支軸４２の基端部側であって、前記当接部４１から所定隙間をあけて設けられた三角錐状の押え部４３とからなっている。なお、三角錐状の押え部４３は、その先細の先端部が、支軸４２の先端側に向けて配置されている。そして、支軸４２を軸孔３４に挿入し、当接部４１及び押え部４３を軸孔３４の表裏周縁に係合させることにより、支持部３３にバンパ４０が取付けられるようになっている。
【００３５】
なお、以上説明した各構成部材は、ゴム等の弾性部材からなるバンパ４０を除き、ＰＯＭ（ポリオキシメチレン）等の合成樹脂材料から形成されている。
【００３６】
次に上記構成からなる本発明のストッパ装置１０の使用方法について説明する。
【００３７】
まず、ストッパピン３０の支持部３３にバンパ４０を取付ける。すなわち、図２に示すように、支持部３３の表面側からバンパ４０の支軸４２を軸孔３４に挿入して、軸部３５の先端部から突出させ、更にこの支軸４２を引っ張ることにより、三角錐状の押え部４３を縮径させつつ環状凹部３４ａ側に引き出して、押え部４３を軸孔３４の裏側周縁に係合させると共に、当接部４１を軸孔３４の表側周縁に係合させて、支持部３３にバンパ４０が取付けられる。
【００３８】
上記状態で、図２に示すように、グロメット２０のフランジ部２１の表面側からネジ孔２２に、ストッパピン３０の軸部３５を、その先端の回転規制部３７側から差し込んでいき、同軸部３５の基部側外周の雄ネジ部３６をネジ孔２２内周に螺合させることにより、グロメット２０にストッパピン３０を組み付けることができる。
【００３９】
この状態で、取付孔４にグロメット２０の脚部２３を整合させ、該脚部２３を取付孔４の表側から挿入していく。すると、取付孔４の内周に一対の係止片２７，２７が押圧されて内方にそれぞれ撓み、その先端部の係合段部２７ａが取付孔４の裏側に抜き出ると、一対の係止片２７，２７がそれぞれ弾性復帰して、取付孔４の裏側周縁に係合段部２７ａ，２７ａが係合し、それと共に、取付孔４の表側周縁にフランジ部２１が係合して、図１及び図６に示すように、一方の部品であるインストルメントパネル１の側壁３に形成された取付孔４にストッパ装置１０を固定することができる。また、この状態では、筒状の脚部２３内に挿入された、ストッパピン３０の軸部３５先端の角柱状をなす回転規制部３７は、その対向する平行な外側面に、各弾性片２９先端の押圧部２９ａ，２９ａが圧接されて、ストッパピン３０の回転規制が図られている（図３及び図８参照）。
【００４０】
この状態で、一方の部品に接離する他方の部品であるグローブボックス５が、インストルメントパネル１の凹所２に対して閉じると、グローブボックス５のリッド６が、ストッパ装置１０を構成するストッパピン３０の受け部３１に当接して、その移動量を規制することができる。
【００４１】
このとき、受け部３１には、ゴム等の弾性性材料からなるバンパ４０が設けられているので、受け部３１に衝撃吸収機能を付与することができる。すなわち、上記のように、インストルメントパネル１の凹所２に対して、グローブボックス５のリッド６が勢い良く閉じられたとしても、リッド６の裏面が前記バンパ４０に当接して、その衝撃力が吸収されるので、打音が発生することを防止できる。
【００４２】
ところで、リッド６がインストルメントパネル１の側壁３に当接したときに、インストルメントパネル１の表面と、リッド６の表面との間に段差（以下、「面差」という）が生じないことが、見栄えの向上やガタ付き防止の観点から求められている。
【００４３】
このとき、本発明のストッパ装置１０においては、雌ネジ部２２ａ及び雄ネジ部３６によって、グロメット２０にストッパピン３０が螺合しているので、支持部３３の平行面３３ａを把持して、ストッパピン３０をグロメット２０に対して所定の力以上で回転させることにより、ストッパピン３０の回転規制部３７が押圧部２９ａ，２９ａを介して、一対の弾性片２９，２９を外方に撓ませて、回転規制がなされたストッパピン３０を回転させることができる。
【００４４】
このように、ストッパピン３０を回転させるだけの簡単な操作で、前記の雌ネジ部２２ａ及び雄ネジ部３６の螺合度が変わり、図７及び図８に示すように、ストッパピン３０の高さを容易に変化させることができる。したがって、凹所２に対して開閉するリッド６に微妙な反り等が生じていて、そのままバンパ４０に当接したのでは、インストルメントパネル１表面とリッド６表面との間に面差が生じるような場合でも、上記のように、ストッパピン３０の高さを適宜調整することによって、面差を是正することができ、その結果、見栄えを向上させると共に、ガタ付き等の発生を防止することができる。
【００４５】
また、ストッパピン３０を図７に示すように所定の高さに調整した後は、角柱状をなす回転規制部３７の対向する平行な外側面に、各弾性片２９先端の押圧部２９ａ，２９ａが圧接されるので（図８参照）、ストッパピン３０の不用意な回転を規制して、高さが変わってしまうことを防止できる。更に、ストッパピン３０の高さ調整は、同ストッパピン３０に設けた雄ネジ部３６と、グロメット２０に設けた雌ネジ部２２ａとの螺合度によって変化するので、これらを適宜所定の大きさに形成することにより、ストッパピン３０の高さ調整範囲を広くすることができる。
【００４６】
また、一対の弾性片２９，２９が回転規制部３７に圧接していることによって、高さ調整の際にストッパピン３０の回転に適度な抵抗力を付与することができるようになっている。更に、前述したように、ストッパピン３０を回転させると、角柱状の回転規制部３７の対向する平行な外側面に、一対の弾性片２９，２９の各押圧部２９ａ，２９ａが、次々に圧接されるようになっているので、作業者に適度なクリック感を与えることができ、操作フィーリングを向上させることができる。また、高さ調整した後のストッパピン３０の回転規制に関しては、多角柱を構成する面の数だけ規制できるので、規制できる回転角度をより細かく設定でき、その結果、ストッパピン３０の高さ位置をより細かく調整することができる。
【００４７】
更に、この実施形態においては、係止片２７は、脚部２３の対向する側壁２５，２５に設けられた一対のものからなり、弾性片２９は、係止片２７とは重ならない位置で、脚部２３の対向するもう一つの側壁２５，２５に設けられた一対のものからなり、係止片２７及び弾性片２９がそれぞれ対向した位置に一対ずつ設けられているので、係止片２７の取付孔４に対する係止力と、弾性片２９が回転規制部３７に圧接することによる回転規制力とをバランス良く得ることができる。
【００４８】
また、この実施形態においては、一対の係止片２７，２７及び一対の弾性片２９，２９は、筒状部分２４の側壁２５にそれぞれ設けられているので、脚部２３全体の剛性を高めることができ、係止片２７を取付孔４にしっかりと係合させると共に、弾性片２９を回転規制部３７に対して強く圧接させて、ストッパピン３０の回転規制をしっかりと図ることができる。
【図面の簡単な説明】
【００４９】
【図１】本発明の高さ調整可能なストッパ装置を適用する箇所を示す斜視図である。
【図２】同ストッパ装置の分解斜視図である。
【図３】同ストッパ装置を斜め下方から見た場合の斜視図である。
【図４】同ストッパ装置を構成するグロメットを示しており、（Ａ）は一部を断面で示す正面図、（Ｂ）は一部を断面で示す側面図、（Ｃ）は底面図である。
【図５】同ストッパ装置を構成するストッパピンを示しており、（Ａ）は正面図、（Ｂ）は底面図である。
【図６】同ストッパ装置を取付孔に固定した状態を示す説明図である。
【図７】同ストッパ装置の高さ調整を行った状態を示す説明図である。
【図８】同ストッパ装置の高さ調整を行った状態を示しており、図７とは異なる断面での説明図である。
【符号の説明】
【００５０】
４  取付孔
１０  高さ調整可能なストッパ装置
２０  グロメット
２１  フランジ部
２２  ネジ孔
２２ａ  雌ネジ部
２３  脚部
２４  筒状部分
２７  係止片
２９  弾性片
３０  ストッパピン
３５  軸部
３６  雄ネジ部
３７  回転規制部
４０  バンパ
【図１】
2008296731.tif 000003
【図２】
2008296731.tif 000004
【図３】
2008296731.tif 000005
【図４】
2008296731.tif 000006
【図５】
2008296731.tif 000007
【図６】
2008296731.tif 000008
【図７】
2008296731.tif 000009
【図８】
2008296731.tif 000010